(57)【特許請求の範囲】
【請求項１】
出発階を出発して昇降路を鉛直方向に走行する複数のかごと、
前記複数のかごの各々に、定格積載量に対応する実定員以下で乗車可能な人数の上限である仮想定員を、前記複数のかごの少なくともいずれかの組み合わせにおいて仮想定員が互いに異なるように設定する仮想定員設定部と、
利用者の行先階の情報を取得する情報取得部と、
前記情報取得部が取得した情報に基づいて、前記複数のかごの各々の前記出発階から出発する複数回の走行の少なくともいずれかを、前記利用者の前記行先階までの呼びを割り当てる割当候補として抽出する割当候補抽出部と、
前記割当候補抽出部が抽出した割当候補を、設定された仮想定員の情報を含めて前記利用者に提示する情報提示部と、
前記情報提示部が提示した割当候補のうちから前記利用者が選択した割当候補の情報を前記情報取得部が取得するときに、前記利用者が選択した割当候補に前記利用者の前記行先階までの呼びを割り当てる割当決定部と、
を備えるエレベーターシステム。
【請求項２】
前記仮想定員設定部は、より大きい仮想定員ほどより多くのかごに設定する
請求項１に記載のエレベーターシステム。
【請求項３】
前記仮想定員設定部は、仮想定員を可変とし、前記複数のかごの各々について前記出発階から出発する複数回の走行ごとに前記出発階からの出発より前に仮想定員を予め設定する
請求項１または請求項２に記載のエレベーターシステム。
【請求項４】
出発階を出発して昇降路を鉛直方向に走行するかごと、
前記かごに、定格積載量に対応する実定員以下で乗車可能な人数の上限である可変な仮想定員を、前記出発階から出発する複数回の走行ごとに前記出発階からの出発より前に予め設定する仮想定員設定部と、
利用者の行先階の情報を取得する情報取得部と、
前記情報取得部が取得した情報に基づいて、前記かごの前記出発階から出発する複数回の走行の少なくともいずれかを、前記利用者の前記行先階までの呼びを割り当てる割当候補として抽出する割当候補抽出部と、
前記割当候補抽出部が抽出した割当候補を、設定された仮想定員の情報を含めて前記利用者に提示する情報提示部と、
前記情報提示部が提示した割当候補のうちから前記利用者が選択した割当候補の情報を前記情報取得部が取得するときに、前記利用者が選択した割当候補に前記利用者の前記行先階までの呼びを割り当てる割当決定部と、
を備えるエレベーターシステム。
【請求項５】
前記仮想定員設定部は、より大きい仮想定員ほどより高い頻度で設定する
請求項３または請求項４に記載のエレベーターシステム。
【請求項６】
前記情報提示部は、前記割当候補抽出部が抽出した割当候補ごとに前記出発階の出発予定および前記仮想定員設定部が設定した仮想定員を前記利用者に提示する
請求項１から請求項５のいずれか一項に記載のエレベーターシステム。
【請求項７】
前記情報提示部は、前記割当候補抽出部が抽出した割当候補ごとに前記出発階の出発予定および乗車後の可能な乗車位置を前記利用者に提示する
請求項１から請求項５のいずれか一項に記載のエレベーターシステム。
【請求項８】
前記利用者の前記行先階の入力を受け付け、前記情報提示部が提示する情報を前記利用者に表示し、前記利用者による割当候補の選択を受け付ける行先登録装置
を備え、
前記情報取得部は、前記行先登録装置から前記行先階および前記利用者が選択した割当候補の情報を取得する
請求項１から請求項７のいずれか一項に記載のエレベーターシステム。
【請求項９】
前記利用者が所持する携帯端末から前記利用者の前記行先階の情報を受信し、前記情報提示部が提示する情報を前記携帯端末に送信し、前記利用者による割当候補の選択の情報を前記携帯端末から受信する通信装置
を備え、
前記情報取得部は、前記通信装置を通じて前記行先階および前記利用者が選択した割当候補の情報を取得する
請求項１から請求項７のいずれか一項に記載のエレベーターシステム。
【請求項１０】
出発階を出発して昇降路を鉛直方向に走行する複数のかごと、
前記複数のかごの各々に、定格積載量に対応する実定員以下で乗車可能な人数の上限である仮想定員を、前記複数のかごの少なくともいずれかの組み合わせにおいて仮想定員が互いに異なるように設定する仮想定員設定部と、
利用者の行先階および混雑への許容度の情報を取得する情報取得部と、
前記情報取得部が取得した情報に基づいて、前記複数のかごの各々の前記出発階から出発する複数回の走行の少なくともいずれかを、前記利用者の前記行先階までの呼びを割り当てる割当候補として抽出する割当候補抽出部と、
前記情報取得部が取得した情報に基づいて、前記利用者の前記行先階までの呼びを、前記割当候補抽出部が抽出した割当候補から、前記利用者の前記許容度が低いほど仮想定員が少ない割当候補に優先して割り当てる割当決定部と、
を備えるエレベーターシステム。
【請求項１１】
前記仮想定員設定部は、より大きい仮想定員ほどより多くのかごに設定する
請求項１０に記載のエレベーターシステム。
【請求項１２】
前記仮想定員設定部は、仮想定員を可変とし、前記複数のかごの各々について前記出発階から出発する複数回の走行ごとに前記出発階からの出発より前に仮想定員を予め設定する
請求項１０または請求項１１に記載のエレベーターシステム。
【請求項１３】
出発階を出発して昇降路を鉛直方向に走行するかごと、
前記かごに、定格積載量に対応する実定員以下で乗車可能な人数の上限である可変な仮想定員を、前記出発階から出発する複数回の走行ごとに前記出発階からの出発より前に予め設定する仮想定員設定部と、
利用者の行先階および混雑への許容度の情報を取得する情報取得部と、
前記情報取得部が取得した情報に基づいて、前記複数回の走行の少なくともいずれかを、前記利用者の前記行先階までの呼びを割り当てる割当候補として抽出する割当候補抽出部と、
前記情報取得部が取得した情報に基づいて、前記利用者の前記行先階までの呼びを、前記割当候補抽出部が抽出した割当候補から、前記利用者の前記許容度が低いほど仮想定員が少ない割当候補に優先して割り当てる割当決定部と、
を備えるエレベーターシステム。
【請求項１４】
前記仮想定員設定部は、より大きい仮想定員ほどより高い頻度で設定する
請求項１２または請求項１３に記載のエレベーターシステム。
【請求項１５】
前記利用者の前記行先階および前記許容度の入力を受け付ける行先登録装置
を備え、
前記情報取得部は、前記行先登録装置から前記行先階および前記許容度の情報を取得する
請求項１０から請求項１４のいずれか一項に記載のエレベーターシステム。
【請求項１６】
前記行先登録装置は、前記許容度の情報として前記利用者が同乗を許容できる人数の入力を受け付け、
前記割当決定部は、前記行先登録装置が受け付けた人数の仮想定員が設定された割当候補に前記利用者の呼びを割り当てる
請求項１５に記載のエレベーターシステム。
【請求項１７】
前記利用者が所持する携帯端末から、前記利用者の前記行先階および前記許容度の情報を受信する通信装置
を備え、
前記情報取得部は、前記通信装置から前記行先階および前記許容度の情報を取得する
請求項１０から請求項１４のいずれか一項に記載のエレベーターシステム。
【請求項１８】
前記通信装置は、前記許容度の情報として前記利用者が同乗を許容できる人数の情報を前記携帯端末から受信し、
前記割当決定部は、前記通信装置が受信した人数の仮想定員が設定された割当候補に前記利用者の呼びを割り当てる
請求項１７に記載のエレベーターシステム。
【請求項１９】
前記利用者を識別する識別情報を読み取る読取装置と、
前記識別情報に対応づけて前記利用者の前記行先階および前記許容度の情報を記憶する記憶装置と、
を備え、
前記情報取得部は、前記読取装置が読み取る前記識別情報に対応づけて前記記憶装置が記憶している前記行先階および前記許容度の情報を取得する
請求項１０から請求項１４のいずれか一項に記載のエレベーターシステム。
【請求項２０】
前記記憶装置は、前記許容度の情報として前記利用者が同乗を許容できる人数の情報を記憶し、
前記割当決定部は、前記情報取得部が前記記憶装置から取得した人数の仮想定員が設定された割当候補に前記利用者の呼びを割り当てる
請求項１９に記載のエレベーターシステム。
【発明の詳細な説明】
【技術分野】
【０００１】
本開示は、エレベーターシステムに関する。
【背景技術】
【０００２】
特許文献１は、エレベーターシステムの例を開示する。エレベーターシステムは、利用者の行先階および混雑への許容度の情報を取得する。利用者の呼びは、エレベーターシステムが取得した情報に基づいて、複数のかごのうちから利用者の許容度に応じたかごに割り当てられる。
【先行技術文献】
【特許文献】
【０００３】
【特許文献１】特開２０１９−１８９３９９号公報
【発明の概要】
【発明が解決しようとする課題】
【０００４】
しかしながら、特許文献１のエレベーターシステムにおいて、利用者の呼びを割り当てるときにカメラが撮影したかご内の画像から求められる混雑度との比較によって、利用者が許容できる混雑度であるかが判定される。このため、その後に呼びが割り当てられる他の利用者によって、実際に乗車するときのかご内の混雑度が許容できる混雑度ではなくなる可能性がある。
【０００５】
本開示は、このような課題の解決に係るものである。本開示は、利用者の混雑への許容度に応じてかご内の混雑度を制御できるエレベーターシステムを提供する。
【課題を解決するための手段】
【０００６】
本開示に係るエレベーターシステムは、出発階を出発して昇降路を鉛直方向に走行する複数のかごと、前記複数のかごの各々に、定格積載量に対応する実定員以下で乗車可能な人数の上限である仮想定員を、前記複数のかごの少なくともいずれかの組み合わせにおいて仮想定員が互いに異なるように設定する仮想定員設定部と、利用者の行先階の情報を取得する情報取得部と、前記情報取得部が取得した情報に基づいて、前記複数のかごの各々の前記出発階から出発する複数回の走行の少なくともいずれかを、前記利用者の前記行先階までの呼びを割り当てる割当候補として抽出する割当候補抽出部と、前記割当候補抽出部が抽出した割当候補を、設定された仮想定員の情報を含めて前記利用者に提示する情報提示部と、前記情報提示部が提示した割当候補のうちから前記利用者が選択した割当候補の情報を前記情報取得部が取得するときに、前記利用者が選択した割当候補に前記利用者の前記行先階までの呼びを割り当てる割当決定部と、を備える。
本開示に係るエレベーターシステムは、出発階を出発して昇降路を鉛直方向に走行するかごと、前記かごに、定格積載量に対応する実定員以下で乗車可能な人数の上限である可変な仮想定員を、前記出発階から出発する複数回の走行ごとに前記出発階からの出発より前に予め設定する仮想定員設定部と、利用者の行先階の情報を取得する情報取得部と、前記情報取得部が取得した情報に基づいて、前記かごの前記出発階から出発する複数回の走行の少なくともいずれかを、前記利用者の前記行先階までの呼びを割り当てる割当候補として抽出する割当候補抽出部と、前記割当候補抽出部が抽出した割当候補を、設定された仮想定員の情報を含めて前記利用者に提示する情報提示部と、前記情報提示部が提示した割当候補のうちから前記利用者が選択した割当候補の情報を前記情報取得部が取得するときに、前記利用者が選択した割当候補に前記利用者の前記行先階までの呼びを割り当てる割当決定部と、を備える。
本開示に係るエレベーターシステムは、出発階を出発して昇降路を鉛直方向に走行する複数のかごと、前記複数のかごの各々に、定格積載量に対応する実定員以下で乗車可能な人数の上限である仮想定員を、前記複数のかごの少なくともいずれかの組み合わせにおいて仮想定員が互いに異なるように設定する仮想定員設定部と、利用者の行先階および混雑への許容度の情報を取得する情報取得部と、前記情報取得部が取得した情報に基づいて、前記複数のかごの各々の前記出発階から出発する複数回の走行の少なくともいずれかを、前記利用者の前記行先階までの呼びを割り当てる割当候補として抽出する割当候補抽出部と、前記情報取得部が取得した情報に基づいて、前記利用者の前記行先階までの呼びを、前記割当候補抽出部が抽出した割当候補から、前記利用者の前記許容度が低いほど仮想定員が少ない割当候補に優先して割り当てる割当決定部と、を備える。
本開示に係るエレベーターシステムは、出発階を出発して昇降路を鉛直方向に走行するかごと、前記かごに、定格積載量に対応する実定員以下で乗車可能な人数の上限である可変な仮想定員を、前記出発階から出発する複数回の走行ごとに前記出発階からの出発より前に予め設定する仮想定員設定部と、利用者の行先階および混雑への許容度の情報を取得する情報取得部と、前記情報取得部が取得した情報に基づいて、前記複数回の走行の少なくともいずれかを、前記利用者の前記行先階までの呼びを割り当てる割当候補として抽出する割当候補抽出部と、前記情報取得部が取得した情報に基づいて、前記利用者の前記行先階までの呼びを、前記割当候補抽出部が抽出した割当候補から、前記利用者の前記許容度が低いほど仮想定員が少ない割当候補に優先して割り当てる割当決定部と、を備える。
【発明の効果】
【０００７】
本開示に係るエレベーターシステムであれば、利用者の混雑への許容度に応じてかご内の混雑度を制御できる。
【図面の簡単な説明】
【０００８】
【図１】実施の形態１に係るエレベーターシステムの構成図である。
【図２】実施の形態１に係るエレベーターシステムの動作の例を示すフローチャートである。
【図３】実施の形態１に係る情報提示部による情報の提示の例を示す図である。
【図４】実施の形態１に係る情報提示部による情報の提示の例を示す図である。
【図５】実施の形態１に係る情報提示部による情報の提示の例を示す図である。
【図６】実施の形態１に係るエレベーターシステムの主要部のハードウェア構成図である。
【図７】実施の形態２に係るエレベーターシステムの構成図である。
【図８】実施の形態２に係るエレベーターシステムの動作の例を示すフローチャートである。
【図９】実施の形態２に係るエレベーターシステムにおける呼びの割当の例を説明する図である。
【発明を実施するための形態】
【０００９】
本開示を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係るエレベーターシステム１の構成図である。
【００１１】
エレベーターシステム１は、複数の階床を有する建物に適用される。建物において、エレベーターシステム１の図示されない昇降路が設けられる。昇降路は、複数の階床にわたる上下方向に長い空間である。複数の階床は、基準階床を含む。基準階床は、例えば建物の外部に通じる玄関階などである。建物の各々の階床において、エレベーターシステム１の図示されない乗場が設けられる。乗場は、昇降路に隣接して設けられたエレベーターシステム１の利用者が待機可能な空間である。
【００１２】
エレベーターシステム１は、１つまたは複数のエレベーター２を備える。この例において、エレベーターシステム１は、複数のエレベーター２を備える。各々のエレベーター２は、かご３と、制御盤４と、を備える。かご３は、昇降路を鉛直方向に走行することで内部に乗車している利用者を複数の階床の間で輸送する装置である。かご３において、実定員が予め設定される。実定員は、かご３の定格積載量に対応する当該かご３に乗車可能な利用者の人数の上限である。エレベーターシステム１において、各々のエレベーター２のかご３の実定員は、互いに同程度の人数である。この例のエレベーターシステム１において、各々のエレベーター２のかご３の実定員は、互いに同じ人数である。制御盤４は、例えばかご３の走行などのエレベーター２の運行を制御する装置である。
【００１３】
エレベーターシステム１は、行先登録装置５と、通信装置６と、群管理装置７と、を備える。
【００１４】
行先登録装置５は、利用者の呼びの情報の入力を受け付ける機能を搭載する。行先登録装置５は、少なくともいずれかの階床に配置される。この例において、行先登録装置５は、基準階床の乗場に配置される。行先登録装置５は、表示部８と、操作部９と、を備える。表示部８は、利用者に情報を表示によって提示する部分である。表示部８は、例えば液晶ディスプレイなどである。操作部９は、利用者による入力操作を受け付ける部分である。操作部９は、例えばタッチパネルなどである。
【００１５】
通信装置６は、利用者が所持する携帯端末１０との間で情報を通信する機能を搭載する。携帯端末１０は、例えばスマートフォンなどの可搬な情報端末である。通信装置６は、例えばインターネットまたは電話回線網などの通信ネットワーク１１を通じて携帯端末１０と通信する。あるいは、通信装置６は、携帯端末１０と無線により直接通信してもよい。
【００１６】
群管理装置７は、エレベーターシステム１の運行を管理する装置である。群管理装置７は、各々のエレベーター２への呼びの割当などの機能を搭載する。群管理装置７は、各々のエレベーター２の制御盤４に電気的に接続される。群管理装置７は、行先登録装置５と電気的に接続される。群管理装置７は、通信装置６と電気的に接続される。あるいは、群管理装置７は、通信装置６を内蔵していてもよい。群管理装置７は、情報取得部１２と、情報提示部１３と、仮想定員設定部１４と、利用者数記憶部１５と、割当候補抽出部１６と、割当決定部１７と、を備える。
【００１７】
情報取得部１２は、利用者のエレベーターシステム１の利用に関する情報を取得する部分である。情報取得部１２は、利用者の行先階の情報を取得する機能を搭載する。情報取得部１２は、例えば行先登録装置５の操作部９を通じて、利用者が行った入力操作から当該利用者の情報を取得する。あるいは、情報取得部１２は、例えば通信装置６を通じて、利用者が携帯端末１０で行った入力操作から当該利用者の情報を取得してもよい。
【００１８】
情報提示部１３は、利用者にエレベーターシステム１の利用に関する情報を提示する部分である。情報提示部１３は、例えば行先登録装置５の表示部８に情報を表示させることで利用者に情報を提示してもよい。あるいは、情報提示部１３は、例えば通信装置６による通信を通じて、携帯端末１０に情報を表示させることで利用者に情報を提示してもよい。
【００１９】
仮想定員設定部１４は、仮想定員を設定する部分である。仮想定員は、かご３の実定員以下の範囲で設定される当該かご３に乗車可能な人数の上限である。すなわち、かご３に設定される仮想定員は、当該かご３に呼びを割当可能な利用者の人数の上限である。かご３の仮想定員は、当該かご３の実定員と同一であってもよい。
【００２０】
エレベーターシステム１が複数のエレベーター２を備える場合に、仮想定員設定部１４は、かご３ごとに仮想定員を設定する。このとき、仮想定員設定部１４は、複数のかご３の少なくともいずれかの組み合わせにおいて仮想定員が互いに異なるように設定する。すなわち、仮想定員設定部１４は、全てのかご３の仮想定員が同じにはならないように仮想定員を設定する。
【００２１】
この例の仮想定員設定部１４は、より大きい仮想定員ほどより多くのかご３に設定する。すなわち、仮想定員設定部１４は、より大きい仮想定員が設定されたかご３の出発階を出発する頻度がより高くなるように仮想定員を設定する。例えば、エレベーターシステム１が６台のエレベーター２を備える場合に、仮想定員設定部１４は、６台のかご３の各々の仮想定員を４名、４名、４名、２名、２名、および１名などと設定する。例えば、エレベーターシステム１が４台のエレベーター２を備える場合に、仮想定員設定部１４は、４台のかご３の各々の仮想定員を４名、４名、２名、および１名などと設定する。
【００２２】
エレベーターシステム１が単一のエレベーター２を備える場合に、仮想定員設定部１４は、かご３が出発階から出発する複数回の走行ごとに可変に仮想定員を設定する。すなわち、仮想定員設定部１４は、かご３の出発階からの発車のタイミングごとに仮想定員を設定する。ここで、出発階は、複数の階床のいずれかである。出発階は、例えば行先登録装置５が設けられる階床である。出発階は、例えば建物の基準階床である。仮想定員設定部１４は、出発階から出発する各回の走行について、当該走行の出発より前に仮想定員を予め設定する。仮想定員設定部１４は、複数回の走行の少なくともいずれかの組み合わせにおいて仮想定員が互いに異なるように設定する。すなわち、仮想定員設定部１４は、全ての走行の仮想定員が同じにはならないように仮想定員を設定する。ここで、仮想定員設定部１４は、出発階から出発するいずれかの回の走行について、出発階から出発した前回の走行と同じ仮想定員を連続して設定してもよい。なお、エレベーターシステム１が複数のエレベーター２を備える場合においても、仮想定員設定部１４は、各々のかご３について、出発階から出発する複数回の走行ごとに可変に仮想定員を設定してもよい。
【００２３】
仮想定員が可変な場合に、仮想定員設定部１４は、より大きい仮想定員ほどより高い頻度で仮想定員を設定してもよい。すなわち、仮想定員設定部１４は、より大きい仮想定員が設定されたかご３の出発階を出発する頻度がより高くなるように仮想定員を設定する。例えば、仮想定員設定部１４は、４名の仮想定員を、２名の仮想定員より高い頻度で設定する。仮想定員設定部１４は、例えば予め設定された順序で仮想定員を設定してもよい。あるいは、仮想定員設定部１４は、例えば予め設定された確率によって仮想定員を設定してもよい。
【００２４】
利用者数記憶部１５は、各々のかご３の出発階から出発する複数回の走行ごとに、乗車する予定の利用者の数を記憶する機能を搭載する。利用者数記憶部１５は、例えば利用者の数をかご３が停止する階床ごとに記憶する。
【００２５】
割当候補抽出部１６は、利用者の行先階までの呼びを割り当てる割当候補を抽出する部分である。割当候補抽出部１６は、情報取得部１２が取得した情報に基づいて割当候補を抽出する。割当候補抽出部１６は、１台または複数のかご３の出発階から出発する複数回の走行の少なくともいずれかを割当候補として抽出する。割当候補抽出部１６は、例えば現在から予め設定された時間だけ先の時刻までに出発階を出発する予定の走行を抽出の対象とする。
【００２６】
割当決定部１７は、割当候補抽出部１６が抽出した割当候補のうち、利用者の呼びを割り当てる割当候補を決定する部分である。利用者の呼びを割り当てる割当候補の決定は、利用者数記憶部１５が記憶している人数に反映される。
【００２７】
続いて、図２を用いて、エレベーターシステム１の動作の例を説明する。
図２は、実施の形態１に係るエレベーターシステム１の動作の例を示すフローチャートである。
【００２８】
ステップＳ１１において、情報取得部１２は、行先登録装置５または通信装置６などを通じて、利用者の行先階の情報を取得したかを判定する。判定結果がＮｏの場合に、エレベーターシステム１の動作は、ふたたびステップＳ１１に進む。一方、判定結果がＹｅｓの場合に、情報取得部１２は、行先階の情報を取得した利用者の呼びを登録する。その後、エレベーターシステム１の動作は、ステップＳ１２に進む。
【００２９】
ステップＳ１２において、割当候補抽出部１６は、割当候補を抽出する。割当候補抽出部１６は、出発階を出発して情報取得部１２が取得した行先階に向かう走行について、当該走行を行うかご３に乗車する予定の利用者の数を利用者数記憶部１５から取得する。割当候補抽出部１６は、利用者数記憶部１５から取得した人数が既に仮想定員に達している回の走行を、割当候補から除外する。割当候補抽出部１６は、他の基準によっていずれかの回の走行を割当候補から除外してもよい。例えば、割当候補抽出部１６は、新たに呼びを割り当てると上昇中または下降中のいずれかの停止回数が予め設定された閾値を超えてしまう回の走行を割当候補から除外してもよい。ここで、当該閾値は、例えば各々のかご３の周回時間を均一化するなどの目的で設定される。その後、エレベーターシステム１の動作は、ステップＳ１３に進む。
【００３０】
ステップＳ１３において、情報提示部１３は、行先登録装置５または通信装置６などを通じて、割当候補抽出部１６が抽出した割当候補を利用者に提示する。情報提示部１３は、行先登録装置５を通じて行先階の情報を取得した利用者に対して、行先登録装置５を通じて情報を提示する。情報提示部１３は、通信装置６および携帯端末１０を通じて行先階の情報を取得した利用者に対して、通信装置６および携帯端末１０を通じて情報を提示する。情報提示部１３は、設定された仮想定員の情報を割当候補ごとに提示する。仮想定員の情報は、例えば仮想定員の人数などである。仮想定員の情報は、実定員に対する仮想定員の比であってもよい。仮想定員の情報は、乗車後の可能な乗車位置であってもよい。この例において、情報提示部１３は、出発予定の情報を割当候補ごとに提示する。出発予定の情報は、例えば出発階を出発する出発順序などである。出発予定の情報は、例えば出発階を出発する予定時刻であってもよい。その後、エレベーターシステム１の動作は、ステップＳ１４に進む。
【００３１】
ここで、利用者は、情報提示部１３が提示した割当候補のうちからいずれか１つの割当候補を選択する。行先登録装置５から行先階を入力した利用者は、行先登録装置５を通じて割当候補を選択する。携帯端末１０から行先階を入力した利用者は、携帯端末１０を通じて割当候補を選択する。このとき、利用者は、自身の混雑への許容度に応じて、割当候補を選択する。利用者は、例えば自身のかご３への同乗を許容できる人数を超えない仮想定員が設定された割当候補を選択する。
【００３２】
ステップＳ１４において、情報取得部１２は、行先登録装置５または通信装置６などを通じて、利用者が選択した割当候補の情報を取得したかを判定する。判定結果がＮｏの場合に、エレベーターシステム１の動作は、ふたたびステップＳ１４に進む。ここで、例えば利用者に割当候補を提示してから予め設定された時間が経過する場合に、タイムアウト処理が行われてもよい。タイムアウト処理は、例えば登録した利用者の呼びを取り消す処理などである。あるいは、タイムアウト処理は、登録した利用者の呼びを、運行効率などの基準によって抽出された割当候補のうちのいずれかに割り当てる処理であってもよい。一方、判定結果がＹｅｓの場合に、エレベーターシステム１の動作は、ステップＳ１５に進む。
【００３３】
ステップＳ１５において、割当決定部１７は、利用者が選択した割当候補に当該利用者の行先階までの呼びを割り当てる。その後、エレベーターシステム１の動作は、ステップＳ１６に進む。
【００３４】
ステップＳ１６において、利用者数記憶部１５は、利用者が選択した割当候補である走行について、当該走行を行うかご３に乗車する予定の利用者の数に１を加算する。その後、エレベーターシステム１の動作は、ステップＳ１１に進む。なお、利用者数記憶部１５は、かご３が実際に出発階を出発していずれかの階床に到着するときに、当該かご３に乗車している利用者の数から当該階床を行先階とする利用者の数を減算する。
【００３５】
続いて、図３から図５を用いて、情報提示部１３による情報の提示の例を説明する。
図３から図５は、実施の形態１に係る情報提示部１３による情報の提示の例を示す図である。
図３から図５において、情報提示部１３が行先登録装置５の表示部８に表示させる情報の例が示される。なお、情報提示部１３は、通信装置６を通じて携帯端末１０に同様の表示をさせてもよい。
【００３６】
図３において、表によって割当候補を提示する場合の表示の例が示される。
【００３７】
表示部８において、出発予定の情報として出発順序が割当候補ごとに表示される。表示部８において、仮想定員の情報として仮想定員の人数が割当候補ごとに表示される。表示部８において、現在の乗車予定の利用者の数と仮想定員との差である空き人数が割当候補ごとに表示される。表示部８において、割当候補ごとの他の情報が表示されてもよい。例えば、割当候補ごとに実定員、または実定員に対する仮想定員の割合などが表示されてもよい。また、エレベーターシステム１が複数のエレベーター２を備える場合に、各々のエレベーター２を識別する号機番号などの情報が表示されてもよい。
【００３８】
利用者は、表示部８に表示されたいずれかの割当候補を、操作部９を通じて選択する。
【００３９】
図４において、表によって割当候補を提示する場合の表示の他の例が示される。
【００４０】
表示部８において、出発予定の情報として出発階を出発する予定時刻が割当候補ごとに表示される。表示部８において、仮想定員の情報として仮想定員の人数が割当候補ごとに表示される。表示部８において、現在の乗車予定の利用者の数と仮想定員との差である空き人数が割当候補ごとに表示される。例えば利用者の入力中に他の利用者の呼びが割り当てられる場合などに、表示部８において、空き人数が既に０になった回の走行が表示されてもよい。
【００４１】
利用者は、表示部８に表示されたいずれかの割当候補を、操作部９を通じて選択する。ここで、空き人数が既に０になった回の走行などの割当不可な走行が選択される場合に、当該選択は、無効なものとして処理されてもよい。このとき、行先登録装置５は、他の割当候補を再選択するように利用者を促すメッセージなどを表示してもよい。
【００４２】
図５において、図によって割当候補を提示する場合の表示の例が示される。
【００４３】
表示部８において、出発予定の情報として出発順序が割当候補ごとに表示される。表示部８において、仮想定員の情報として乗車後の可能な乗車位置が割当候補ごとに表示される。この例において、仮想定員に対応する数の乗車位置が破線で区画された範囲として図示される。この例において、乗車位置ごとに乗車の可否が示される。この例において、乗車可能な位置に〇記号が表示される。一方、乗車不可な位置に×記号が表示される。
【００４４】
利用者は、区画された乗車位置の数によって仮想定員を把握できる。利用者は、割当候補ごとに表示部８に表示されたいずれかの乗車位置を、操作部９を通じて選択する。情報取得部１２は、選択された割当候補および乗車位置の情報を取得する。この例において、利用者数記憶部１５は、利用者に選択された乗車位置を複数回の走行ごとに記憶する。
【００４５】
以上に説明したように、実施の形態１に係るエレベーターシステム１は、１つ以上のかご３と、仮想定員設定部１４と、情報取得部１２と、割当候補抽出部１６と、情報提示部１３と、割当決定部１７と、を備える。各々のかご３は、出発階を出発して昇降路を鉛直方向に走行する。仮想定員は、定格積載量に対応する実定員以下でかご３に乗車可能な人数の上限である。複数のかご３がある場合に、仮想定員設定部１４は、複数のかご３の少なくともいずれかの組み合わせにおいて仮想定員が互いに異なるように、各々のかご３に仮想定員を設定する。また、仮想定員設定部１４は、出発階から出発する少なくともいずれかのかご３の複数回の走行ごとに、当該かご３に仮想定員を出発階からの出発より前に予め設定する。情報取得部１２は、利用者の行先階の情報を取得する。割当候補抽出部１６は、情報取得部１２が取得した情報に基づいて、出発階から出発する各々のかご３の複数回の走行の少なくともいずれかを割当候補として抽出する。割当候補は、利用者の行先階までの呼びの割当の候補である。情報提示部１３は、割当候補抽出部１６が抽出した割当候補を、設定された仮想定員の情報を含めて利用者に提示する。情報提示部１３が提示した割当候補のうちから利用者が選択した割当候補の情報を情報取得部１２が取得するときに、割当決定部１７は、利用者が選択した割当候補に利用者の行先階までの呼びを割り当てる。
【００４６】
このような構成により、出発階から出発する１つ以上のかご３の複数回の走行について、仮想定員が設定される。仮想定員は、複数回の走行について全て同じにはならないように設定される。仮想定員の情報が提示された利用者によって、混雑への許容度に応じて割当候補が選択される。すなわち、仮想定員は、利用者の混雑への許容度に応じた呼びの割当に用いられる。仮想定員を超えた数の呼びは各回の走行に割り当てられないので、仮想定員の設定によって、利用者の混雑への許容度に応じたかご３内の混雑度の制御ができるようになる。利用者の呼びは混雑への許容度に応じた割当候補に割り当てられるので、乗車予定のかご３が混雑しているため利用者が乗車を見送ることが少なくなる。このため、乗車の見送りによるエレベーターシステム１の輸送効率の低下が抑えられる。また、実定員以下の仮想定員を設定することで、エレベーターシステム１を柔軟に運用できるようになる。エレベーターシステム１が単一のエレベーター２を有している場合においても、出発階から出発する走行ごとに仮想定員が設定されるので、走行ごとにかご３内の混雑度が制御される。エレベーターシステム１が複数のエレベーター２を有している場合に、実定員の異なる複数のエレベーター２を導入する必要がないので、保守および管理の手間などが増大しにくい。
【００４７】
また、仮想定員設定部１４は、より大きい仮想定員ほどより多くのかご３に設定する。
また、仮想定員設定部１４は、より大きい仮想定員ほどより高い頻度で設定する。
【００４８】
このような構成により、より大きい仮想定員が設定されたかご３の出発階を出発する頻度が、より高くなる。このため、実定員より低い仮想定員を設定することによるエレベーターシステム１の輸送効率の低下が抑えられる。
【００４９】
また、情報提示部１３は、割当候補抽出部１６が抽出した割当候補ごとに出発階の出発予定および仮想定員設定部１４が設定した仮想定員を利用者に提示する。
【００５０】
このような構成により、利用者は、待ち時間の短さなどの利便性および混雑への許容度の両方を考慮して割当候補を選択できるようになる。また、通常、より少ない仮想定員が設定された割当候補は、より早く仮想定員に達する。このため、混雑の許容度と待ち時間の短さなどの利便性がトレードオフの関係となっていることが利用者に対して提示される。すなわち、仮想定員が多く混雑しうる割当候補に待ち時間の短さという利便性があることが提示されるので、仮想定員の多い割当候補が選択されやすくなる。このため、実定員より低い仮想定員を設定することによるエレベーターシステム１の輸送効率の低下が抑えられる。また、利便性を優先して混雑を許容した利用者、または、混雑の回避を優先して待ち時間を許容した利用者などに、利便性および混雑の回避がトレードオフの関係となっていないことによる不満が生じにくい。
【００５１】
また、情報提示部１３は、割当候補抽出部１６が抽出した割当候補ごとに出発階の出発予定および乗車後の可能な乗車位置を利用者に提示する。
【００５２】
このような構成により、利用者は、かご３の内部における乗車位置を選択できるようになる。すなわち、例えば自身の後ろに他人が立つことに抵抗がある利用者は、後ろに他人が立ちにくい乗車位置を選択できる。これにより、利用者は、自身にとってより好ましい状況でエレベーターシステム１を利用できるようになる。
【００５３】
また、エレベーターシステム１は、行先登録装置５を備える。行先登録装置５は、利用者の行先階の入力を受け付ける。行先登録装置５は、情報提示部１３が提示する情報を利用者に表示しする。行先登録装置５は、利用者による割当候補の選択を受け付ける。情報取得部１２は、行先登録装置５から、行先階および利用者が選択した割当候補の情報を取得する。
また、エレベーターシステム１は、通信装置６を備える。通信装置６は、利用者が所持する携帯端末１０から利用者の行先階の情報を受信する。通信装置６は、情報提示部１３が提示する情報を携帯端末１０に送信する。通信装置６は、利用者による割当候補の選択の情報を携帯端末１０から受信する。情報取得部１２は、通信装置６を通じて、行先階および利用者が選択した割当候補の情報を取得する。
【００５４】
このような構成により、エレベーターシステム１は、利用者と対話的に情報をやりとりできるようになる。このため、割当候補の決定がスムーズになる。なお、情報取得部１２は、行先登録装置５、または通信装置６および携帯端末１０のいずれか一方のみを用いて利用者との情報のやりとりを行ってもよい。このとき、エレベーターシステム１は、行先登録装置５または通信装置６のうち利用者との情報のやりとりに用いられない方を備えていなくてもよい。
【００５５】
なお、情報取得部１２、情報提示部１３、仮想定員設定部１４、利用者数記憶部１５、割当候補抽出部１６、および割当決定部１７などの機能を含む群管理装置７の機能の一部または全部は、群管理装置７の外部の装置に搭載されていてもよい。このとき、エレベーターシステム１は、群管理装置７を独立した装置として有していなくてもよい。これらの機能の一部または全部は、例えば各々のエレベーター２の制御盤４などの機器に搭載されていてもよい。これらの機能の一部または全部は、複数の機器に分散して搭載されていてもよい。
【００５６】
続いて、図６を用いて、エレベーターシステム１のハードウェア構成の例について説明する。
図６は、実施の形態１に係るエレベーターシステム１の主要部のハードウェア構成図である。
【００５７】
エレベーターシステム１の各機能は、処理回路により実現し得る。処理回路は、少なくとも１つのプロセッサ１００ａと少なくとも１つのメモリ１００ｂとを備える。処理回路は、プロセッサ１００ａおよびメモリ１００ｂと共に、あるいはそれらの代用として、少なくとも１つの専用ハードウェア２００を備えてもよい。
【００５８】
処理回路がプロセッサ１００ａとメモリ１００ｂとを備える場合、エレベーターシステム１の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ１００ｂに格納される。プロセッサ１００ａは、メモリ１００ｂに記憶されたプログラムを読み出して実行することにより、エレベーターシステム１の各機能を実現する。
【００５９】
プロセッサ１００ａは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ１００ｂは、例えば、ＲＡＭ、ＲＯＭ、フラッシュメモリ、ＥＰＲＯＭ、ＥＥＰＲＯＭなどの、不揮発性または揮発性の半導体メモリなどにより構成される。
【００６０】
処理回路が専用ハードウェア２００を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【００６１】
エレベーターシステム１の各機能は、それぞれ処理回路で実現することができる。あるいは、エレベーターシステム１の各機能は、まとめて処理回路で実現することもできる。エレベーターシステム１の各機能について、一部を専用ハードウェア２００で実現し、他部をソフトウェアまたはファームウェアで実現してもよい。このように、処理回路は、専用ハードウェア２００、ソフトウェア、ファームウェア、またはこれらの組み合わせでエレベーターシステム１の各機能を実現する。
【００６２】
実施の形態２．
実施の形態２において、実施の形態１で開示される例と相違する点について特に詳しく説明する。実施の形態２で説明しない特徴については、実施の形態１で開示される例のいずれの特徴が採用されてもよい。
【００６３】
図７は、実施の形態２に係るエレベーターシステム１の構成図である。
【００６４】
エレベーターシステム１は、行先登録装置５と、通信装置６と、群管理装置７と、読取装置１８と、記憶装置１９と、を備える。
【００６５】
読取装置１８は、利用者が所持する識別体２０から識別情報を読み取る装置である。利用者の識別情報は、当該利用者を識別する情報である。利用者が所持する識別体２０は、例えば利用者が所持するタグまたはカードなどである。あるいは、利用者が所持する識別体２０は、利用者が所持する携帯端末１０などであってもよい。読取装置１８は、例えば近距離無線通信などによって識別体２０から識別情報を読み取る。読取装置１８は、識別体２０に表示される二次元コードなどの符号化画像を撮影することで識別情報を読み取ってもよい。読取装置１８は、群管理装置７と電気的に接続される。読取装置１８は、エレベーターシステム１が設けられる建物に設けられた図示されない入退管理ゲートなどと連携する装置であってもよい。
【００６６】
記憶装置１９は、情報を記憶する装置である。記憶装置１９において、エレベーターシステム１の利用に関する情報が利用者ごとに記憶される。記憶装置１９は、例えば利用者の識別情報をキーとするデータベースを記憶する。記憶装置１９のデータベースにおいて、利用者の行先階が予め登録されている。利用者ごとに予め登録される行先階は、例えば建物がオフィスビルである場合に、当該利用者が通常勤務する階床などである。記憶装置１９のデータベースにおいて、利用者のかご３内の混雑への許容度を表す情報が記憶される。許容度の情報は、利用者がかご３への同乗を許容できる人数などである。記憶装置１９は、群管理装置７と電気的に接続される。あるいは、記憶装置１９は、群管理装置７に内蔵されていてもよい。
【００６７】
情報取得部１２は、利用者の行先階の情報とともに、かご３内の混雑への許容度を表す情報を取得する機能を搭載する。情報取得部１２は、例えば行先登録装置５の操作部９を通じて、利用者が行った入力操作から当該利用者の行先階および混雑への許容度の情報を取得する。あるいは、情報取得部１２は、例えば通信装置６を通じて、利用者が携帯端末１０で行った入力操作から当該利用者の行先階および混雑への許容度の情報を取得してもよい。また、情報取得部１２は、例えば通信装置６を通じて、利用者が携帯端末１０に予め登録した行先階および混雑への許容度の情報を取得してもよい。また、情報取得部１２は、例えば読取装置１８が識別体２０から利用者の識別情報を読み取るときに、当該利用者の識別情報をキーとして記憶装置１９のデータベースを参照することで当該利用者の行先階および混雑への許容度の情報を取得してもよい。なお、情報取得部１２は、例えば通信装置６を通じて利用者の携帯端末１０から識別情報を読み取るときに、当該利用者の識別情報をキーとして記憶装置１９のデータベースを参照することで当該利用者の行先階および混雑への許容度の情報を取得してもよい。
【００６８】
この例において、利用者は、行先登録装置５の操作部９を通じて、行先階を入力する。このとき、利用者は、操作部９を通じて、混雑への許容度の情報としてかご３への同乗を許容できる人数を入力する。
【００６９】
割当決定部１７は、情報取得部１２が取得した許容度などの情報に基づいて、割当候補抽出部１６が抽出した割当候補のいずれかに利用者の行先階までの呼びを割り当てる機能を搭載する。割当決定部１７は、利用者の混雑への許容度がより低いほど、当該利用者の呼びを仮想定員がより少ない割当候補に優先して割り当てる。例えば入力される許容度が同乗を許容できる人数である場合に、割当決定部１７は、同乗を許容できる人数のより少ない利用者の呼びを、より少ない仮想定員が設定された割当候補に優先して割り当てる。割当決定部１７は、例えば、利用者の同乗を許容できる人数と同じ人数の仮想定員が設定された割当候補に当該利用者の呼びを割り当てる。なお、割当決定部１７は、利用者の同乗を許容できる人数と同じ人数の仮想定員が設定された割当候補が複数ある場合に、他の指標値を用いていずれか１つの割当候補を選択する。ここで用いられる指標値は、例えばエレベーターシステム１の運行効率またはサービス品質に関する指標値などである。指標値は、例えばエレベーターシステム１の利用率、利用者の待ち時間、または乗車時間などであってもよい。
【００７０】
続いて、図８を用いて、エレベーターシステム１の動作の例を説明する。
図８は、実施の形態２に係るエレベーターシステム１の動作の例を示すフローチャートである。
【００７１】
ステップＳ２１において、情報取得部１２は、利用者の行先階および許容度の情報を取得したかを判定する。判定結果がＮｏの場合に、エレベーターシステム１の動作は、ふたたびステップＳ２１に進む。一方、判定結果がＹｅｓの場合に、情報取得部１２は、行先階および許容度の情報を取得した利用者の呼びを登録する。その後、エレベーターシステム１の動作は、ステップＳ２２に進む。
【００７２】
ステップＳ２２において、割当候補抽出部１６は、情報取得部１２が取得した行先階などの情報に基づいて、割当候補を抽出する。その後、エレベーターシステム１の動作は、ステップＳ２３に進む。
【００７３】
ステップＳ２３において、割当決定部１７は、情報取得部１２が取得した許容度などの情報に基づいて、割当候補抽出部１６が抽出した割当候補のいずれかに利用者の行先階までの呼びを割り当てる。その後、エレベーターシステム１の動作は、ステップＳ２４に進む。
【００７４】
ステップＳ２４において、利用者数記憶部１５は、割当決定部１７が利用者の呼びを割り当てると決定した割当候補である走行について、当該走行を行うかご３に乗車する予定の利用者の数に１を加算する。その後、エレベーターシステム１の動作は、ステップＳ２５に進む。
【００７５】
ステップＳ２５において、情報提示部１３は、行先登録装置５、通信装置６、または読取装置１８などを通じて、割当決定部１７が決定した割当候補を利用者に提示する。情報提示部１３は、行先登録装置５を通じて情報を取得した利用者に対して、行先登録装置５を通じて情報を提示する。情報提示部１３は、通信装置６および携帯端末１０を通じて情報を取得した利用者に対して、通信装置６および携帯端末１０を通じて情報を提示する。情報提示部１３は、読取装置１８および記憶装置１９を通じて情報を取得した利用者に対して、読取装置１８を通じて情報を提示する。その後、エレベーターシステム１の動作は、ステップＳ２１に進む。
【００７６】
続いて、図９を用いて、割当決定部１７による呼びの割当の例を説明する。
図９は、実施の形態２に係る割当決定部１７による呼びの割当の例を示す図である。
【００７７】
この例において、利用者は、かご３への同乗を許容できる人数を入力する。割当決定部１７は、利用者の同乗を許容できる人数と同じ人数の仮想定員が設定された割当候補に当該利用者の呼びを割り当てるものとする。割当抽出部は、出発階からの先発、次発、および次々発の３回の走行を割当候補として抽出している。エレベーターシステム１が複数のエレベーター２を備えている場合に、先発、次発、および次々発のかご３は、互いに異なるかご３であってもよい。先発、次発、および次々発のかご３の実定員は、４人である。仮想定員設定部１４は、先発のかご３の仮想定員を４人と設定している。仮想定員設定部１４は、次発のかご３の仮想定員を２人と設定している。仮想定員設定部１４は、次々発のかご３の仮想定員を４人と設定している。利用者Ａ、利用者Ｂ、利用者Ｃ、利用者Ｄ、利用者Ｅ、および利用者Ｆの６人の利用者が、この順に同一の行先階までの呼びを登録する。利用者Ａおよび利用者Ｄが同乗を許容できる人数は、２人である。利用者Ｂ、利用者Ｃ、利用者Ｅ、および利用者Ｆが同乗を許容できる人数は、４人である。仮想定員が設定された場合の割当の例は、図９の上側に示される。比較のため、仮想定員を設定しない場合の割当の例が、図９の下側に示される。
【００７８】
まず、仮想定員が設定されていない場合を説明する。利用者Ａの呼びは、いずれの走行にも割り当てることができる。このため、利用者Ａの呼びは、先発の走行に割り当てられる。利用者Ｂの呼びは、いずれの走行にも割り当てることができる。このため、利用者Ｂの呼びは、先発の走行に割り当てられる。この時点で先発の走行にはまだ空きがあり、乗車が予定される人数は、利用者Ｃを含めても利用者Ｃが同乗を許容できる人数である４人より少ない。しかしながら、乗車が予定される人数は、既に呼びが割り当てられている利用者Ａが同乗を許容できる人数である２人に達しているため、利用者Ｃの呼びは先発の走行に割り当てることができない。このため、利用者Ｃの呼びは次発の走行に割り当てられる。以降同様に、利用者Ｄの呼びは次発の走行に割り当てられる。また、利用者Ｅの呼びは次々発の走行に割り当てられる。また、利用者Ｆの呼びは次々発の走行に割り当てられる。
【００７９】
この場合に、利用者Ｃは混雑を許容しているにも関わらず、混雑を許容しない利用者Ａより後の出発となる。また、利用者Ｅおよび利用者Ｆは混雑を許容しているにも関わらず、混雑を許容しない利用者Ａおよび利用者Ｄより後の出発となる。このように混雑の許容度と待ち時間の短さなどの利便性がトレードオフの関係とならないため、混雑を許容した利用者に不満が生じる場合がある。また、かご３に同乗できる人数は当該かご３に乗車する利用者の許容度のうち最も低いものによって決まるため、エレベーターシステム１の運行に無駄が生じうる。
【００８０】
これに対し、仮想定員が設定されている場合を説明する。２人の同乗を許容している利用者Ａの呼びは、仮想定員が２人の次発の走行に割り当てられる。４人の同乗を許容している利用者Ｂの呼びは、仮想定員が４人の先発および次々発のいずれの走行にも割り当てることができる。このため、利用者Ｂの呼びは、先発の走行に割り当てられる。以降同様に、利用者Ｃの呼びは、先発の走行に割り当てられる。また、利用者Ｄの呼びは、次発の走行に割り当てられる。また、利用者Ｅの呼びは、先発の走行に割り当てられる。また、利用者Ｆの呼びは、先発の走行に割り当てられる。
【００８１】
この場合に、利用者Ａおよび利用者Ｄは、待ち時間の長さを許容する見返りに、少ない仮想定員が設定されたかご３に乗車できる。利用者Ｂ、利用者Ｃ、利用者Ｅ、および利用者Ｆは、混雑を許容する見返りに、短い待ち時間でかご３に乗車できる。このように混雑の許容度と待ち時間の短さなどの利便性がトレードオフの関係となるため、利用者に不満が生じにくい。また、混雑への許容度が同程度の利用者同士が同乗することになるので、エレベーターシステム１の運行を効率化しうる。
【００８２】
以上に説明したように、実施の形態２に係るエレベーターシステム１は、１つ以上のかご３と、仮想定員設定部１４と、情報取得部１２と、割当候補抽出部１６と、割当決定部１７と、を備える。各々のかご３は、出発階を出発して昇降路を鉛直方向に走行する。仮想定員は、定格積載量に対応する実定員以下でかご３に乗車可能な人数の上限である。複数のかご３がある場合に、仮想定員設定部１４は、複数のかご３の少なくともいずれかの組み合わせにおいて仮想定員が互いに異なるように、各々のかご３に仮想定員を設定する。また、仮想定員設定部１４は、出発階から出発する少なくともいずれかのかご３の複数回の走行ごとに、当該かご３に仮想定員を出発階からの出発より前に予め設定する。情報取得部１２は、用者の行先階および混雑への許容度の情報を取得する。割当候補抽出部１６は、情報取得部１２が取得した情報に基づいて、出発階から出発する各々のかご３の複数回の走行の少なくともいずれかを割当候補として抽出する。割当候補は、利用者の行先階までの呼びの割当の候補である。割当決定部１７は、情報取得部１２が取得した情報に基づいて、利用者の行先階までの呼びを、割当候補抽出部１６が抽出した割当候補から、混雑への許容度が低いほど仮想定員が少ない割当候補に優先して割り当てる。
【００８３】
このような構成により、出発階から出発する１つ以上のかご３の複数回の走行について、仮想定員が設定される。仮想定員は、複数回の走行について全て同じにはならないように設定される。仮想定員は、利用者の混雑への許容度に応じた呼びの割当に用いられる。仮想定員を超えた数の呼びは各回の走行に割り当てられないので、仮想定員の設定によって、利用者の混雑への許容度に応じたかご３内の混雑度の制御ができるようになる。利用者の呼びは混雑への許容度に応じた割当候補に割り当てられるので、乗車予定のかご３が混雑しているため利用者が乗車を見送ることが少なくなる。このため、乗車の見送りによるエレベーターシステム１の輸送効率の低下が抑えられる。また、実定員以下の仮想定員を設定することで、エレベーターシステム１を柔軟に運用できるようになる。エレベーターシステム１が単一のエレベーター２を有している場合においても、出発階から出発する走行ごとに仮想定員が設定されるので、走行ごとにかご３内の混雑度が制御される。エレベーターシステム１が複数のエレベーター２を有している場合に、実定員の異なる複数のエレベーター２を導入する必要がないので、保守および管理の手間などが増大しにくい。
【００８４】
また、仮想定員設定部１４は、より大きい仮想定員ほどより多くのかご３に設定する。
また、仮想定員設定部１４は、より大きい仮想定員ほどより高い頻度で設定する。
【００８５】
このような構成により、より大きい仮想定員が設定されたかご３の出発階を出発する頻度が、より高くなる。このため、実定員より低い仮想定員を設定することによるエレベーターシステム１の輸送効率の低下が抑えられる。
【００８６】
また、エレベーターシステム１は、行先登録装置５を備える。行先登録装置５は、利用者の行先階および混雑への許容度の入力を受け付ける。情報取得部１２は、行先登録装置５から行先階および混雑への許容度の情報を取得する。
また、エレベーターシステム１は、通信装置６を備える。通信装置６は、利用者が所持する携帯端末１０から、利用者の行先階および混雑への許容度の情報を受信する。情報取得部１２は、通信装置６を通じて行先階および混雑への許容度の情報を取得する。
また、エレベーターシステム１は、読取装置１８と、記憶装置１９と、を備える。読取装置１８は、利用者を識別する識別情報を読み取る。記憶装置１９は、識別情報に対応づけて利用者の行先階および混雑への許容度の情報を記憶する。情報取得部１２は、読取装置１８が読み取る識別情報に対応づけて記憶装置１９が記憶している行先階および許容度の情報を取得する。
【００８７】
このような構成により、利用者は、行先階および混雑への許容度を同一の装置の操作によってエレベーターシステム１に入力できるようになる。このため、利用者の混雑への許容度が反映された割当候補の決定がスムーズになる。なお、情報取得部１２は、行先登録装置５、通信装置６および携帯端末１０、または読取装置１８および記憶装置１９のいずれかのみを用いて利用者との情報のやりとりを行ってもよい。このとき、エレベーターシステム１は、行先登録装置５、通信装置６、読取装置１８、または記憶装置１９のうち利用者との情報のやりとりに用いられないものを備えていなくてもよい。
【００８８】
また、行先登録装置５は、混雑への許容度の情報として利用者が同乗を許容できる人数の入力を受け付ける。割当決定部１７は、行先登録装置５が受け付けた人数の仮想定員が設定された割当候補に利用者の呼びを割り当てる。
また、通信装置６は、混雑への許容度の情報として利用者が同乗を許容できる人数の情報を携帯端末１０から受信する。割当決定部１７は、通信装置６が受信した人数の仮想定員が設定された割当候補に利用者の呼びを割り当てる。
また、記憶装置１９は、混雑への許容度の情報として利用者が同乗を許容できる人数の情報を記憶する。割当決定部１７は、情報取得部１２が記憶装置１９から取得した人数の仮想定員が設定された割当候補に利用者の呼びを割り当てる。
【００８９】
このような構成により、同乗を許容できる人数が同じ利用者同士が同乗するようになるので、設定された仮想定員に対して無駄が生じにくくなる。このため、実定員より低い仮想定員を設定することによるエレベーターシステム１の輸送効率の低下が抑えられる。
【００９０】
また、混雑への許容度は、待ち時間などの条件を含むものであってもよい。例えば、混雑への許容度は、「１分以内に出発するかご３の中でなるべく少ない人数」などの条件であってもよい。このとき、例えば割当候補抽出部１６は、１分以内に出発階を出発しない走行を割当候補から除外する。割当決定部１７は、例えば、同乗を許容できる人数をまず１人とし、利用者の呼びの割当を試みる。利用者の呼びを割り当てられる割当候補がない場合に、割当決定部１７は、同乗を許容できる人数を１人ずつ増やしながら、利用者の呼びの割当を試みる。あるいは、割当決定部１７は、出発までの時間および仮想定員などに基づく評価関数を用いて利用者の呼びを割り当ててもよい。
【符号の説明】
【００９１】
１  エレベーターシステム、  ２  エレベーター、  ３  かご、  ４  制御盤、  ５  行先登録装置、  ６  通信装置、  ７  群管理装置、  ８  表示部、  ９  操作部、  １０  携帯端末、  １１  通信ネットワーク、  １２  情報取得部、  １３  情報提示部、  １４  仮想定員設定部、  １５  利用者数記憶部、  １６  割当候補抽出部、  １７  割当決定部、  １８  読取装置、  １９  記憶装置、  ２０  識別体、  １００ａ  プロセッサ、  １００ｂ  メモリ、  ２００  専用ハードウェア
【要約】      （修正有）【課題】利用者の混雑への許容度に応じてかご内の混雑度を制御できるエレベーターシステムを提供する。【解決手段】エレベーターシステム１は、１つ以上のかご３と、仮想定員設定部１４と、情報取得部１２と、を備える。各々のかご３は、出発階を出発して昇降路を鉛直方向に走行する。仮想定員は、定格積載量に対応する実定員以下でかご３に乗車可能な人数の上限である。出発階から出発する１つ以上のかご３の複数回の走行について、仮想定員が設定される。仮想定員は、複数回の走行について全て同じにはならないように設定される。情報取得部１２が取得した行先階への利用者の呼びについて、仮想定員は、利用者の混雑への許容度に応じた割当に用いられる。【選択図】図１【図１】
0006984722.tif 000002
【図２】
0006984722.tif 000003
【図３】
0006984722.tif 000004
【図４】
0006984722.tif 000005
【図５】
0006984722.tif 000006
【図６】
0006984722.tif 000007
【図７】
0006984722.tif 000008
【図８】
0006984722.tif 000009
【図９】
0006984722.tif 000010